(57)【要約】  本発明は、空気調和ユニットのロック解除方法を開示する。前記空気調和ユニットのロック解除方法は、サーバが移動端末から送信された第１アイデンティティ情報及びユニット情報を受信した場合に、前記ユニット情報に基づいて前記第１アイデンティティ情報を検証するステップと、前記第１アイデンティティ情報の検証が成功した場合に、ロック解除コマンドを前記ユニット情報に対応する空気調和ユニットに送信して、前記空気調和ユニットに前記ロック解除コマンドに基づいてロック解除操作を行うわせるステップと、を含む。本発明は、空気調和ユニットのロック解除装置及びサーバをさらに開示する。本発明は、前記第１アイデンティティ情報の検証が成功した場合に、空気調和ユニットのロック解除を行うことを実現し、現在の操作者（ユーザ）が許可された操作者であることを保証し、操作者が専門的な研修を受けていないことや、間違った試運転又はメンテナンス方法、不正確な原因解析などによって、空気調和ユニットに試運転の後も引き続き故障が現れること、及びメンテナンス時に空気調和ユニットの不可逆的な損壊を引き起こすことなどの問題を回避することができ、空気調和ユニットの品質が保障される。【選択図】  図１
2019501544.tif 000002
【特許請求の範囲】
【請求項１】
空気調和ユニットのロック解除方法であって、前記空気調和ユニットのロック解除方法は、
サーバが、移動端末から送信された第１アイデンティティ情報及びユニット情報を受信した場合に、前記ユニット情報に基づいて前記第１アイデンティティ情報を検証するステップであって、空気調和ユニットのユニット情報を受信した場合に、前記移動端末が前記ユニット情報に基づいて対応するアイデンティティ情報の入力インタフェースを表示して、ユーザに前記入力インタフェースで第１アイデンティティ情報を入力させ、前記移動端末が第１アイデンティティ情報を受信した場合に、前記第１アイデンティティ情報及び前記ユニット情報を前記サーバに送信することを含むステップと、
前記第１アイデンティティ情報の検証が成功した場合に、ロック解除コマンドを前記ユニット情報に対応する空気調和ユニットに送信して、前記空気調和ユニットに前記ロック解除コマンドに基づいてロック解除操作を行わせるステップと、
を含むことを特徴とする空気調和ユニットのロック解除方法。
【請求項２】
前記ユニット情報に基づいて前記第１アイデンティティ情報を検証する前記ステップの後に、前記空気調和ユニットのロック解除方法は、
前記第１アイデンティティ情報の検証が失敗した場合に、アイデンティティ検証カウンターがカウント操作を行うように制御するステップと、
前記アイデンティティ検証カウンターのカウント値が所定の閾値以下である場合に、アイデンティティ情報取得要求を前記移動端末に送信して、前記移動端末に前記アイデンティティ情報取得要求に基づいて第２アイデンティティ情報をフィードバックさせるステップと、をさらに含むことを特徴とする請求項１に記載の空気調和ユニットのロック解除方法。
【請求項３】
アイデンティティ検証カウンターがカウント操作を行うように制御する前記ステップの後に、前記空気調和ユニットのロック解除方法は、
前記アイデンティティ検証カウンターのカウント値が所定の閾値より大きい場合に、画像採取コマンドを前記移動端末に送信して、前記移動端末が前記画像採取コマンドに基づいて該移動端末の操作者の画像情報を採取して採取した前記画像情報をフィードバックするように制御するステップと、
前記移動端末から送信された画像情報を受信した場合に、前記ユニット情報と前記画像情報とを関連付けて記憶し、前記アイデンティティ検証カウンターをリセットするステップと、をさらに含むことを特徴とする請求項２に記載の空気調和ユニットのロック解除方法。
【請求項４】
前記ユニット情報に基づいて前記第１アイデンティティ情報を検証する前記ステップは、
所定のデータベースから前記ユニット情報に対応する所定のアイデンティティ情報を取得するステップと、
前記所定のアイデンティティ情報の中に前記第１アイデンティティ情報が存在するか否かを確定するステップと、を含み、ここで、前記所定のアイデンティティ情報の中に前記第１アイデンティティ情報が存在すると確定された場合に、前記第１アイデンティティ情報の検証が成功する
ことを特徴とする請求項１〜３のいずれかに記載の空気調和ユニットのロック解除方法。
【請求項５】
空気調和ユニットのロック解除装置であって、前記空気調和ユニットのロック解除装置は検証モジュールと第１送信モジュールとを含み、
前記検証モジュールは、移動端末から送信された第１アイデンティティ情報及びユニット情報を受信した場合に、前記ユニット情報に基づいて前記第１アイデンティティ情報を検証し、ここで、空気調和ユニットのユニット情報を受信した場合に、前記移動端末は前記ユニット情報に基づいて対応するアイデンティティ情報の入力インタフェースを表示して、ユーザに前記入力インタフェースで第１アイデンティティ情報を入力させ、前記移動端末は第１アイデンティティ情報を受信した場合に、前記第１アイデンティティ情報及び前記ユニット情報を前記サーバに送信し、
前記第１送信モジュールは、前記第１アイデンティティ情報の検証が成功した場合に、ロック解除コマンドを前記ユニット情報に対応する空気調和ユニットに送信して、前記空気調和ユニットに前記ロック解除コマンドに基づいてロック解除操作を行わせる、
ことを特徴とする空気調和ユニットのロック解除装置。
【請求項６】
前記空気調和ユニットのロック解除装置は、制御モジュールと第２送信モジュールとをさらに含み、前記制御モジュールは、前記第１アイデンティティ情報の検証が失敗した場合に、アイデンティティ検証カウンターがカウント操作を行うように制御し、
前記第２送信モジュールは、アイデンティティ情報取得要求を前記移動端末に送信して、前記移動端末に前記アイデンティティ情報取得要求に基づいて第２アイデンティティ情報をフィードバックさせる、ことを特徴とする請求項５に記載の空気調和ユニットのロック解除装置。
【請求項７】
前記空気調和ユニットのロック解除装置は、第３送信モジュールと記憶モジュールとをさらに含み、
前記第３送信モジュールは、前記アイデンティティ検証カウンターのカウント値が所定の閾値より大きい場合に、画像採取コマンドを前記移動端末に送信して、前記移動端末が前記画像採取コマンドに基づいて該移動端末の操作者の画像情報を採取して採取した前記画像情報をフィードバックするように制御し、
前記記憶モジュールは、前記移動端末から送信された画像情報を受信した場合に、前記ユニット情報と前記画像情報とを関連付けて記憶し、前記アイデンティティ検証カウンターをリセットする、
ことを特徴とする請求項６に記載の空気調和ユニットのロック解除装置。
【請求項８】
前記検証モジュールは、取得ユニットと確定ユニットとを含み、
前記取得ユニットは、所定のデータベースから前記ユニット情報に対応する所定のアイデンティティ情報を取得し、
前記確定ユニットは、前記所定のアイデンティティ情報の中に前記第１アイデンティティ情報が存在するか否かを確定し、ここで、前記所定のアイデンティティ情報の中に前記第１アイデンティティ情報が存在すると確定された場合に、前記第１アイデンティティ情報の検証が成功する、
ことを特徴とする請求項５〜７のいずれかに記載の空気調和ユニットのロック解除装置。
【請求項９】
請求項５〜８のいずれかに記載の空気調和ユニットのロック解除装置を含むことを特徴とする、サーバ。
【発明の詳細な説明】
【技術分野】
【０００１】
本発明は、空気調和技術分野に関し、特に空気調和ユニットのロック解除方法、装置及びサーバに関する。
【背景技術】
【０００２】
現在、空気調和ユニットの組立が完了した後、現在取り付けられた空気調和ユニットが正常に作動できることを確定するために、空気調和ユニットに対して試運転する必要がある。空気調和業界の不断な発展に伴い、空気調和システム、特にマルチ式空気調和システム、大型遠心分離ユニット、モジュールユニットなどの空気調和システムの冷凍システム、制御システムはますます複雑になってきており、空気調和ユニットの試運転及びメンテナンスについて技術者に対する要求が非常に高く、通常専門的な研修を受けて許可された専門技術者しかしかるべき操作を行うことができない。
【０００３】
しかし、空気調和ユニットの大部分は、ロック解除された後、空気調和ユニットの試運転が行われる場合に、現在の操作者が許可された操作者であるか否かを確証することができない。該操作者がメンテナンス品質の保証がない無許可の操作者である場合、専門的な研修を受けていないため、間違った試運転又はメンテナンス方法や、不正確な原因分析などによって、空気調和ユニットに試運転の後も引き続き故障が現れたり、さらにはメンテナンスする時、空気調和ユニットの不可逆的な損壊を引き起こす恐れがある。
【発明の概要】
【発明が解決しようとする課題】
【０００４】
本発明は、空気調和ユニットのロック解除方法、装置及びサーバを提供し、現在の空気調和ユニットの操作者がメンテナンス品質の保証がない無許可の操作者であることによって、空気調和ユニットに試運転の後も引き続き故障が現れたり、さらにはメンテナンスする時、空気調和ユニットの不可逆的な損壊を引き起こすという技術的課題を解決することを目的とする。
【課題を解決するための手段】
【０００５】
上記目的を実現するために、本発明は、空気調和ユニットのロック解除方法を提供する。前記空気調和ユニットのロック解除方法は、サーバが、移動端末から送信された第１アイデンティティ情報及びユニット情報を受信した場合に、前記ユニット情報に基づいて前記第１アイデンティティ情報を検証するステップであって、空気調和ユニットのユニット情報を受信した場合に、前記移動端末が前記ユニット情報に基づいて対応するアイデンティティ情報の入力インタフェースを表示して、ユーザに前記入力インタフェースで第１アイデンティティ情報を入力させ、前記移動端末が第１アイデンティティ情報を受信した場合に、前記第１アイデンティティ情報及び前記ユニット情報を前記サーバに送信することを含むステップと、前記第１アイデンティティ情報の検証が成功した場合に、ロック解除コマンドを前記ユニット情報に対応する空気調和ユニットに送信して、前記空気調和ユニットに前記ロック解除コマンドに基づいてロック解除操作を行わせるステップと、を含む。
【０００６】
好ましくは、前記ユニット情報に基づいて前記第１アイデンティティ情報を検証する前記ステップの後に、前記空気調和ユニットのロック解除方法は、前記第１アイデンティティ情報の検証が失敗した場合に、アイデンティティ検証カウンターがカウント操作を行うように制御するステップと、前記アイデンティティ検証カウンターのカウント値が所定の閾値以下である場合に、アイデンティティ情報取得要求を前記移動端末に送信して、前記移動端末に前記アイデンティティ情報取得要求に基づいて第２アイデンティティ情報をフィードバックさせるステップと、をさらに含む。
【０００７】
好ましくは、アイデンティティ検証カウンターがカウント操作を行うように制御する前記ステップの後に、前記空気調和ユニットのロック解除方法は、前記アイデンティティ検証カウンターのカウント値が所定の閾値より大きい場合に、画像採取コマンドを前記移動端末に送信して、前記移動端末が前記画像採取コマンドに基づいて該移動端末の操作者の画像情報を採取して採取した前記画像情報をフィードバックするように制御するステップと、前記移動端末から送信された画像情報を受信した場合に、前記ユニット情報と前記画像情報とを関連付けて記憶し、前記アイデンティティ検証カウンターをリセットするステップと、をさらに含む。
【０００８】
好ましくは、前記ユニット情報に基づいて前記第１アイデンティティ情報を検証する前記ステップは、所定のデータベースから前記ユニット情報に対応する所定のアイデンティティ情報を取得するステップと、前記所定のアイデンティティ情報の中に前記第１アイデンティティ情報が存在するか否かを確定するステップと、を含み、ここで、前記所定のアイデンティティ情報の中に前記第１アイデンティティ情報が存在すると確定された場合に、前記第１アイデンティティ情報の検証が成功する。
【０００９】
また、上記目的を実現するために、本発明は、空気調和ユニットのロック解除装置をさらに提供する。前記空気調和ユニットのロック解除装置は、検証モジュールと第１送信モジュールとを含み、前記検証モジュールは、移動端末から送信された第１アイデンティティ情報及びユニット情報を受信した場合に、前記ユニット情報に基づいて前記第１アイデンティティ情報を検証し、ここで、空気調和ユニットのユニット情報を受信した場合に、前記移動端末は前記ユニット情報に基づいて対応するアイデンティティ情報の入力インタフェースを表示して、ユーザに前記入力インタフェースで第１アイデンティティ情報を入力させ、前記移動端末は第１アイデンティティ情報を受信した場合に、前記第１アイデンティティ情報及び前記ユニット情報を前記サーバに送信し、前記第１送信モジュールは、前記第１アイデンティティ情報の検証が成功した場合に、ロック解除コマンドを前記ユニット情報に対応する空気調和ユニットに送信して、前記空気調和ユニットに前記ロック解除コマンドに基づいてロック解除操作を行わせる。
【００１０】
好ましくは、前記空気調和ユニットのロック解除装置は、制御モジュールと第２送信モジュールとをさらに含み、前記制御モジュールは、前記第１アイデンティティ情報の検証が失敗した場合に、アイデンティティ検証カウンターがカウント操作を行うように制御し、前記第２送信モジュールは、アイデンティティ情報取得要求を前記移動端末に送信して、前記移動端末に前記アイデンティティ情報取得要求に基づいて第２アイデンティティ情報をフィードバックさせる。
【００１１】
好ましくは、前記空気調和ユニットのロック解除装置は、第３送信モジュールと記憶モジュールとをさらに含み、前記第３送信モジュールは、前記アイデンティティ検証カウンターのカウント値が所定の閾値より大きい場合に、画像採取コマンドを前記移動端末に送信して、前記移動端末が前記画像採取コマンドに基づいて該移動端末の操作者の画像情報を採取して採取した前記画像情報をフィードバックするように制御し、前記記憶モジュールは、前記移動端末から送信された画像情報を受信した場合に、前記ユニット情報と前記画像情報とを関連付けて記憶し、前記アイデンティティ検証カウンターをリセットする。
【００１２】
好ましくは、前記検証モジュールは、取得ユニットと確定ユニットとを含み、前記取得ユニットは、所定のデータベースから前記ユニット情報に対応する所定のアイデンティティ情報を取得し、前記確定ユニットは、前記所定のアイデンティティ情報の中に前記第１アイデンティティ情報が存在するか否かを確定し、ここで、前記所定のアイデンティティ情報の中に前記第１アイデンティティ情報が存在すると確定された場合に、前記第１アイデンティティ情報の検証が成功する。
【００１３】
また、上記目的を実現するために、本発明は、サーバをさらに提供する。前記サーバは、上記いずれか一項に記載の空気調和ユニットのロック解除装置を含む。
【発明の効果】
【００１４】
本発明は、サーバが、移動端末から送信された第１アイデンティティ情報及びユニット情報を受信した場合に、前記ユニット情報に基づいて前記第１アイデンティティ情報を検証し、前記第１アイデンティティ情報の検証が成功した場合に、ロック解除コマンドを前記ユニット情報に対応する空気調和ユニットに送信する。これにより、前記第１アイデンティティ情報の検証が成功した場合の空気調和ユニットのロック解除を実現し、さらに現在の操作者（ユーザ）が許可された操作者であることを保証し、ひいては操作者が専門的な研修を受けていないことや、間違った試運転又はメンテナンス方法、及び不正確な原因分析などによって、空気調和ユニットに試運転の後も引き続き故障が現れること、及びメンテナンスする時に空気調和ユニットの不可逆的な損壊を引き起こすことなどの問題を回避することができ、空気調和ユニットの品質が保障される。
【図面の簡単な説明】
【００１５】
【図１】図１は本発明の空気調和ユニットのロック解除方法の第１実施例の概略フローチャートである。
【図２】図２は本発明の空気調和ユニットのロック解除方法の第２実施例の概略フローチャートである。
【図３】図３は本発明の空気調和ユニットのロック解除方法の第３実施例の概略フローチャートである。
【図４】図４は本発明の空気調和ユニットのロック解除方法の第４実施例における前記第１アイデンティティ情報を検証するステップの細分化された概略フローチャートである。
【図５】図５は本発明の空気調和ユニットのロック解除装置の第１実施例の機能モジュールの概略図である。
【図６】図６は本発明の空気調和ユニットのロック解除装置の第２実施例の機能モジュールの概略図である。
【図７】図７は本発明の空気調和ユニットのロック解除装置の第３実施例の機能モジュールの概略図である。
【図８】図８は本発明の空気調和ユニットのロック解除装置の第４実施例における検証モジュールの細分化された機能モジュール概略図である。
【００１６】
本発明の目的の実現、機能特性及び利点について、実施例に結びつけて図面を参照しながらさらに説明する。
【発明を実施するための形態】
【００１７】
なお、ここで説明される具体的な実施例は、本発明を解釈するためだけのものであり、本発明を限定するためのものではない。
【００１８】
本発明の実施例において、空気調和ユニットには、空気調和ユニットとサーバ及び移動端末との間のデータのやりとりを実現するための通信モジュールが設けられている。空気調和ユニットは、通信モジュールにより空気調和ユニットの運転データをサーバに送信する。具体的には、通信モジュールは、イーサネット（登録商標）のネットワークケーブルに直接接続されるネットワークモジュール、ＷｉＦｉモジュール又は２Ｇ/３Ｇ/４Ｇ/５Ｇ機能を含むセルラデータ通信モジュールなどであってもよい。なお、通信モジュールは、ＵＡＲＴ（Ｕｎｉｖｅｒｓａｌ Ａｓｙｎｃｈｒｏｎｏｕｓ Ｒｅｃｅｉｖｅｒ/Ｔｒａｎｓｍｉｔｔｅｒ、ユニバーサル非同期レシーバ/トランスミッタ）、Ｒｓ４８５、ＣＡＮバスなどの通信方式により、空気調和ユニットのほかのモジュールとデータのやりとりを行うことができる。
【００１９】
上記空気調和ユニットに基づいて、本発明の空気調和ユニットのロック解除方法及び装置の各実施例を提示する。
【００２０】
本発明は、空気調和ユニットのロック解除方法を提供する。図１に示すように、図１は本発明の空気調和ユニットのロック解除方法の第１実施例の概略フローチャートである。
【００２１】
本実施例において、該空気調和ユニットのロック解除方法は、以下のステップＳ１０とステップＳ２０とを含む。
【００２２】
ステップＳ１０において、サーバが、移動端末から送信された第１アイデンティティ情報及びユニット情報を受信した場合に、前記ユニット情報に基づいて前記第１アイデンティティ情報を検証する。ここで、空気調和ユニットのユニット情報を受信した場合に、前記移動端末は、前記ユニット情報に基づいて対応するアイデンティティ情報の入力インタフェースを表示して、ユーザに前記入力インタフェースで第１アイデンティティ情報を入力させ、前記移動端末は、第１アイデンティティ情報を受信した場合に、前記第１アイデンティティ情報及び前記ユニット情報を前記サーバに送信する。
【００２３】
本実施例において、移動端末は、携帯電話、ＩＰＡＤなどのスマート端末を含み、該移動端末には、本実施例の空気調和ユニットのロック解除方法に対応するＡＰＰ、アプリケーションプログラムがインストールされており、該ＡＰＰを起動した後、操作者は、該ＡＰＰの表示インタフェースで空気調和ユニットの試運転要求を始動させることができる。移動端末は該試運転要求を受信した場合に、空気調和ユニットのユニット情報の入力インタフェースを表示して、ユーザに試運転する必要のある空気調和ユニットのユニット情報を入力させ、操作者は、入力インタフェースの提示情報などに従って、試運転する必要のある空気調和ユニットのユニット情報を入力することができる。ユニット情報を受信した場合に、移動端末は、前記ユニット情報に基づいて対応するアイデンティティ情報の入力インタフェースを表示して、ユーザに前記入力インタフェースで第１アイデンティティ情報を入力させ、操作者は、入力インタフェースの提示情報などに従って、対応する第１アイデンティティ情報、即ち該操作者の第１アイデンティティ情報を入力することができる。移動端末は、第１アイデンティティ情報を受信した場合に、前記第１アイデンティティ情報及び前記ユニット情報を前記サーバに送信する。
【００２４】
移動端末から送信された第１アイデンティティ情報及びユニット情報を受信した場合に、サーバは、前記ユニット情報に基づいて前記第１アイデンティティ情報を検証する。具体的には、サーバは、所定のデータベースから前記ユニット情報に対応する所定のアイデンティティ情報を取得し、その後、前記所定のアイデンティティ情報の中に前記第１アイデンティティ情報が存在するか否かを確定する。ここで、前記所定のアイデンティティ情報の中に前記第１アイデンティティ情報が存在すると確定された場合に、前記第１アイデンティティ情報の検証が成功する。所定のアイデンティティ情報の中に前記第１アイデンティティ情報が存在しない場合に、前記第１アイデンティティ情報の検証が失敗する。
【００２５】
ステップＳ２０において、前記第１アイデンティティ情報の検証が成功した場合に、ロック解除コマンドを前記ユニット情報に対応する空気調和ユニットに送信して、前記空気調和ユニットに、前記ロック解除コマンドに基づいてロック解除操作を行わせる。
【００２６】
本実施例において、第１アイデンティティ情報の検証が成功した場合に、サーバは、ロック解除コマンドを前記ユニット情報に対応する空気調和ユニットに送信して、前記空気調和ユニットに前記ロック解除コマンドに基づいてロック解除操作を行わせる。空気調和ユニットのロック解除が完了した場合に、試運転の操作が行われ、試運転の過程で試運転のデータがサーバに送信され、後続の処理のためにサーバに記憶される。
【００２７】
本実施例が提示する空気調和ユニットの試運転方法は、サーバが移動端末から送信された第１アイデンティティ情報及びユニット情報を受信した場合に、前記ユニット情報に基づいて前記第１アイデンティティ情報を検証し、前記第１アイデンティティ情報の検証が成功した場合に、ロック解除コマンドを前記ユニット情報に対応する空気調和ユニットに送信する。これにより、前記第１アイデンティティ情報の検証が成功した場合に空気調和ユニットのロック解除を行うことを実現し、現在の操作者（ユーザ）が許可された操作者であることを保証し、操作者が専門的な研修を受けていないことや、間違った試運転又はメンテナンス方法、不正確な原因分析などによって、空気調和ユニットに試運転の後も引き続き故障が現れること、及びメンテナンスする時に空気調和ユニットの不可逆的な損壊を引き起こすことなどの問題を回避することができ、空気調和ユニットの品質が保障される。
【００２８】
第１実施例に基づいて本発明の空気調和ユニットのロック解除方法の第２実施例を提示する。図２に示すように、本実施例において、ステップＳ１０の後に、該空気調和ユニットのロック解除方法は、以下のステップＳ３０とステップＳ４０とをさらに含む。
【００２９】
ステップＳ３０において、前記第１アイデンティティ情報の検証が失敗した場合に、アイデンティティ検証カウンターがカウント操作を行うように制御する。
【００３０】
本実施例において、所定のアイデンティティ情報の中に前記第１アイデンティティ情報が存在しない場合に、前記第１アイデンティティ情報の検証は失敗し、前記第１アイデンティティ情報の検証が失敗した場合に、サーバは、現在のアイデンティティ情報が検証に失敗した回数を記録するように、アイデンティティ検証カウンターがカウント操作を行うように制御する。
【００３１】
ステップＳ４０において、前記アイデンティティ検証カウンターのカウント値が所定の閾値以下である場合に、アイデンティティ情報取得要求を前記移動端末に送信して、前記移動端末に、前記アイデンティティ情報取得要求に基づいて第２アイデンティティ情報をフィードバックさせる。
【００３２】
ここで、所定の閾値は、必要に応じて適宜設定することができる。例えば、アイデンティティ検証カウンターが０からカウントする場合に、所定の閾値は３であってもよい。
【００３３】
本実施例において、前記アイデンティティ検証カウンターのカウント値が所定の閾値以下である場合に、サーバは、アイデンティティ情報取得要求を前記移動端末に送信して、前記移動端末に、前記アイデンティティ情報取得要求に基づいて第２アイデンティティ情報をフィードバックさせる。具体的には、移動端末は、前記アイデンティティ情報取得要求に基づいて第２アイデンティティ情報の入力インタフェースを表示して、ユーザに第２アイデンティティ情報を入力させ、移動端末は、ユーザによって入力された第２アイデンティティ情報をサーバにフィードバックする。
【００３４】
第２アイデンティティ情報を受信した場合に、サーバは、該第２アイデンティティ情報を検証し、第２アイデンティティ情報の検証が成功した場合には、ロック解除コマンドを前記ユニット情報に対応する空気調和ユニットに送信して、前記空気調和ユニットに前記ロック解除コマンドに基づいてロック解除操作を行わせ、第２アイデンティティ情報の検証が失敗した場合には、アイデンティティ検証カウンターがカウント操作を行うように制御する。
【００３５】
本実施例が提示する空気調和ユニットの試運転方法は、前記第１アイデンティティ情報の検証が失敗した場合に、アイデンティティ検証カウンターがカウント操作を行うように制御し、前記アイデンティティ検証カウンターのカウント値が所定の閾値以下である場合に、アイデンティティ情報取得要求を前記移動端末に送信して、前記移動端末に前記アイデンティティ情報取得要求に基づいて第２アイデンティティ情報をフィードバックさせる。これにより、第１アイデンティティ情報の検証が失敗し且つアイデンティティ検証カウンターのカウント値が所定の閾値以下である場合に、アイデンティティ情報取得要求を送信して第２アイデンティティ情報を取得することを実現し、操作者によって入力された第１アイデンティティ情報が間違っていた場合に、空気調和ユニットのロック解除ができないことを回避する。
【００３６】
第２実施例に基づいて本発明の空気調和ユニットのロック解除方法の第３実施例を提示する。図３に示すように、本実施例において、ステップＳ３０の後に、該空気調和ユニットのロック解除方法は、以下のステップＳ５０とステップＳ６０とをさらに含む。
【００３７】
ステップＳ５０において、前記アイデンティティ検証カウンターのカウント値が所定の閾値より大きい場合に、画像採取コマンドを前記移動端末に送信して、移動端末が前記画像採取コマンドに基づいて該移動端末の操作者の画像情報を採取して採取した前記画像情報をフィードバックするように制御する。
【００３８】
本実施例において、カウント値が所定の閾値より大きい場合は、操作者によって入力されたアイデンティティ情報が複数回検証され成功していない。この場合、該操作者が無許可の操作者である可能性があるため、サーバは、画像採取コマンドを前記移動端末に送信して、移動端末が前記画像採取コマンドに基づいて該移動端末の操作者の画像情報を採取するように制御する。即ち、移動端末が自らコマンドを採取して該移動端末の操作者の画像情報を採取して採取した前記画像情報をフィードバックするように制御する。
【００３９】
ステップＳ６０において、前記移動端末から送信された画像情報を受信した場合に、前記ユニット情報と前記画像情報とを関連付けて記憶し、前記アイデンティティ検証カウンターをリセットする。
【００４０】
本実施例において、前記移動端末から送信された画像情報を受信した場合に、サーバは、ユニット情報及び前記画像情報に基づいて責任追及などの処理がしやすいように、前記ユニット情報と前記画像情報とを関連付けて記憶し、前記アイデンティティ検証カウンターをリセットする。
【００４１】
本実施例が提示する空気調和ユニットのロック解除方法は、前記アイデンティティ検証カウンターのカウント値が所定の閾値より大きい場合に、画像採取コマンドを前記移動端末に送信して、前記移動端末が前記画像採取コマンドに基づいて該移動端末の操作者の画像情報を採取して採取した前記画像情報をフィードバックするように制御し、前記移動端末から送信された画像情報を受信した場合に、前記ユニット情報と前記画像情報とを関連付けて記憶し、前記アイデンティティ検証カウンターをリセットする。これにより、ユニット情報及び前記画像情報に基づいて責任追及などの後続処理がしやすいように、カウント値が所定の閾値より大きい場合に移動端末の操作者の画像情報を記憶することを実現する。
【００４２】
第１実施例に基づいて本発明の空気調和ユニットのロック解除方法の第４実施例を提示する。図４に示すように、本実施例において、ステップＳ１０は、以下のステップＳ１１とステップＳ１２とを含む。
【００４３】
ステップＳ１１において、所定のデータベースから前記ユニット情報に対応する所定のアイデンティティ情報を取得する。
【００４４】
ここで、該所定のアイデンティティ情報とは、該ユニット情報に対応する空気調和ユニットに対応する許可された操作者の情報であり、該所定のアイデンティティ情報と該ユニット情報とが関連付けられて所定のデータベースに記憶されている。
【００４５】
ステップＳ１２において、前記所定のアイデンティティ情報の中に前記第１アイデンティティ情報が存在するか否かを確定し、ここで、前記所定のアイデンティティ情報の中に前記第１アイデンティティ情報が存在すると確定された場合に、前記第１アイデンティティ情報の検証が成功する。
【００４６】
本実施例が提示する空気調和ユニットのロック解除方法は、所定のデータベースから前記ユニット情報に対応する所定のアイデンティティ情報を取得し、前記所定のアイデンティティ情報の中に前記第１アイデンティティ情報が存在するか否かを確定し、ここで、前記所定のアイデンティティ情報の中に前記第１アイデンティティ情報が存在すると確定された場合に、前記第１アイデンティティ情報の検証が成功する。これにより、第１アイデンティティ情報の正確な検証を実現し、ひいては空気調和ユニットのロック解除の正確性を確保する。
【００４７】
本発明は、空気調和ユニットのロック解除装置をさらに提供する。図５に示すように、図５は、本発明の空気調和ユニットのロック解除装置の第１実施例の機能モジュールの概略図である。
【００４８】
本実施例において、該空気調和ユニットのロック解除装置は、検証モジュール１０と、第１送信モジュール２０と、を含む。
【００４９】
前記検証モジュール１０は、移動端末から送信された第１アイデンティティ情報及びユニット情報を受信した場合に、前記ユニット情報に基づいて前記第１アイデンティティ情報を検証する。ここで、空気調和ユニットのユニット情報を受信した場合に、前記移動端末は、前記ユニット情報に基づいて対応するアイデンティティ情報の入力インタフェースを表示して、ユーザに前記入力インタフェースで第１アイデンティティ情報を入力させ、前記移動端末は第１アイデンティティ情報を受信した場合に、前記第１アイデンティティ情報及び前記ユニット情報を前記サーバに送信する。
【００５０】
本実施例において、移動端末は、携帯電話、ＩＰＡＤなどのスマート端末を含み、該移動端末には、本実施例の空気調和ユニットのロック解除方法に対応するＡＰＰ、アプリケーションプログラムがインストールされており、該ＡＰＰを起動した後、操作者は、該ＡＰＰの表示インタフェースで空気調和ユニットの試運転要求を始動させることができる。移動端末は、該試運転要求を受信した場合に、空気調和ユニットのユニット情報の入力インタフェースを表示して、ユーザに試運転する必要のある空気調和ユニットのユニット情報を入力させ、操作者は、入力インタフェースの提示情報などに従って、試運転する必要のある空気調和ユニットのユニット情報を入力することができる。ユニット情報を受信した場合に、移動端末は、前記ユニット情報に基づいて対応するアイデンティティ情報の入力インタフェースを表示して、ユーザに前記入力インタフェースで第１アイデンティティ情報を入力させ、操作者は、入力インタフェースの提示情報などに従って、対応する第１アイデンティティ情報、即ち該操作者の第１アイデンティティ情報を入力することができる。移動端末は、第１アイデンティティ情報を受信した場合に、前記第１アイデンティティ情報及び前記ユニット情報を前記サーバに送信する。
【００５１】
移動端末から送信された第１アイデンティティ情報及びユニット情報を受信した場合に、検証モジュール１０は、前記ユニット情報に基づいて前記第１アイデンティティ情報を検証する。具体的には、サーバは、所定のデータベースから前記ユニット情報に対応する所定のアイデンティティ情報を取得し、その後、前記所定のアイデンティティ情報の中に前記第１アイデンティティ情報が存在するか否かを確定する。ここで、前記所定のアイデンティティ情報の中に前記第１アイデンティティ情報が存在すると確定された場合に、前記第１アイデンティティ情報の検証が成功する。所定のアイデンティティ情報の中に前記第１アイデンティティ情報が存在しない場合に、前記第１アイデンティティ情報の検証が失敗する。
【００５２】
第１送信モジュール２０は、前記第１アイデンティティ情報の検証が成功した場合に、ロック解除コマンドを前記ユニット情報に対応する空気調和ユニットに送信して、前記空気調和ユニットに、前記ロック解除コマンドに基づいてロック解除操作を行わせる。
【００５３】
本実施例において、第１アイデンティティ情報の検証が成功した場合に、サーバは、ロック解除コマンドを前記ユニット情報に対応する空気調和ユニットに送信して、前記空気調和ユニットに前記ロック解除コマンドに基づいてロック解除操作を行わせる。空気調和ユニットのロック解除が完了した場合に、試運転の操作が行われ、試運転の過程で試運転のデータがサーバに送信され、後続処理のためにサーバに記憶される。
【００５４】
本実施例が提示する空気調和ユニットの試運転装置は、サーバが移動端末から送信された第１アイデンティティ情報及びユニット情報を受信した場合に、検証モジュール１０が、前記ユニット情報に基づいて前記第１アイデンティティ情報を検証し、前記第１アイデンティティ情報の検証が成功した場合に、第１送信モジュール２０が、ロック解除コマンドを前記ユニット情報に対応する空気調和ユニットに送信する。これにより、前記第１アイデンティティ情報の検証が成功した場合に空気調和ユニットのロック解除を行うことを実現し、現在の操作者（ユーザ）が許可された操作者であることを保証し、操作者が専門的な研修を受けていないやことや、間違った試運転又はメンテナンス方法、不正確な原因分析などによって、空気調和ユニットに試運転の後も引き続き故障が現れること、及びメンテナンスする時に空気調和ユニットの不可逆的な損壊を引き起こすことなどの問題を回避することができ、空気調和ユニットの品質が保障される。
【００５５】
第１実施例に基づいて本発明の空気調和ユニットのロック解除装置の第２実施例を提示する。図６に示すように、本実施例において、該空気調和ユニットのロック解除装置は、制御モジュール３０と、第２送信モジュール４０と、をさらに含む。
【００５６】
制御モジュール３０は、前記第１アイデンティティ情報の検証が失敗した場合に、アイデンティティ検証カウンターがカウント操作を行うように制御する。
【００５７】
本実施例において、所定のアイデンティティ情報の中に前記第１アイデンティティ情報が存在しない場合に、前記第１アイデンティティ情報の検証は失敗し、前記第１アイデンティティ情報の検証が失敗した場合に、制御モジュール３０は、現在のアイデンティティ情報が検証に失敗した回数を記録するよう、アイデンティティ検証カウンターがカウント操作を行うように制御する。
【００５８】
第２送信モジュール４０は、アイデンティティ情報取得要求を前記移動端末に送信して、前記移動端末に、前記アイデンティティ情報取得要求に基づいて第２アイデンティティ情報をフィードバックさせる。
【００５９】
ここで、所定の閾値は、必要に応じて適宜設定することができる。例えば、アイデンティティ検証カウンターが０からカウントする場合に、所定の閾値は３であってもよい。
【００６０】
本実施例において、前記アイデンティティ検証カウンターのカウント値が所定の閾値以下である場合に、サーバは、アイデンティティ情報取得要求を前記移動端末に送信して、前記移動端末に、前記アイデンティティ情報取得要求に基づいて第２アイデンティティ情報をフィードバックさせる。具体的には、移動端末は、前記アイデンティティ情報取得要求に基づいて第２アイデンティティ情報の入力インタフェースを表示して、ユーザに第２アイデンティティ情報を入力させ、移動端末は、ユーザによって入力された第２アイデンティティ情報をサーバにフィードバックする。
【００６１】
第２アイデンティティ情報を受信した場合に、サーバは、該第２アイデンティティ情報を検証し、第２アイデンティティ情報の検証が成功した場合には、ロック解除コマンドを前記ユニット情報に対応する空気調和ユニットに送信して、前記空気調和ユニットに前記ロック解除コマンドに基づいてロック解除操作を行わせ、第２アイデンティティ情報の検証が失敗した場合には、アイデンティティ検証カウンターがカウント操作を行うように制御する。
【００６２】
本実施例が提示する空気調和ユニットの試運転装置は、前記第１アイデンティティ情報の検証が失敗した場合に、制御モジュール３０が、アイデンティティ検証カウンターがカウント操作を行うように制御し、前記アイデンティティ検証カウンターのカウント値が所定の閾値以下である場合に、第２送信モジュール４０が、アイデンティティ情報取得要求を前記移動端末に送信して、前記移動端末に前記アイデンティティ情報取得要求に基づいて第２アイデンティティ情報をフィードバックさせる。これにより、第１アイデンティティ情報の検証が失敗し且つアイデンティティ検証カウンターのカウント値が所定の閾値以下である場合に、アイデンティティ情報取得要求を送信して第２アイデンティティ情報を取得することを実現し、操作者によって入力された第１アイデンティティ情報が間違っていた場合に、空気調和ユニットのロック解除ができないことを回避する。
【００６３】
第２実施例に基づいて本発明の空気調和ユニットのロック解除装置の第３実施例を提示する。図７に示すように、本実施例において、該空気調和ユニットのロック解除装置は、第３送信モジュール５０と、記憶モジュール６０と、をさらに含む。
【００６４】
第３送信モジュール５０は、前記アイデンティティ検証カウンターのカウント値が所定の閾値より大きい場合に、画像採取コマンドを前記移動端末に送信して、前記移動端末が前記画像採取コマンドに基づいて該移動端末の操作者の画像情報を採取して採取した前記画像情報をフィードバックするように制御する。
【００６５】
本実施例において、カウント値が所定の閾値より大きい場合は、操作者によって入力されたアイデンティティ情報が複数回検証され成功していない。この場合、該操作者が無許可の操作者である可能性があるため、サーバは、画像採取コマンドを前記移動端末に送信して、移動端末が前記画像採取コマンドに基づいて該移動端末の操作者の画像情報を採取するように制御する。即ち、移動端末が自らコマンドを採取して該移動端末の操作者の画像情報を採取して採取した前記画像情報をフィードバックするように制御する。
【００６６】
記憶モジュール６０は、前記移動端末から送信された画像情報を受信した場合に、前記ユニット情報と前記画像情報とを関連付けて記憶し、前記アイデンティティ検証カウンターをリセットする。
【００６７】
本実施例において、前記移動端末から送信された画像情報を受信した場合に、サーバは、ユニット情報及び前記画像情報に基づいて責任追及などの処理がしやすいように、前記ユニット情報と前記画像情報とを関連付けて記憶し、前記アイデンティティ検証カウンターをリセットする。
【００６８】
本実施例が提示する空気調和ユニットのロック解除装置は、前記アイデンティティ検証カウンターのカウント値が所定の閾値より大きい場合に、第３送信モジュール５０が、画像採取コマンドを前記移動端末に送信して、前記移動端末が前記画像採取コマンドに基づいて該移動端末の操作者の画像情報を採取して採取した前記画像情報をフィードバックするように制御し、前記移動端末から送信された画像情報を受信した場合に、記憶モジュール６０が、前記ユニット情報と前記画像情報とを関連付けて記憶し、前記アイデンティティ検証カウンターをリセットする。これにより、ユニット情報及び前記画像情報に基づいて責任追及などの後続処理がしやすいように、カウント値が所定の閾値より大きい場合に移動端末の操作者の画像情報を記憶することを実現する。
【００６９】
第１実施例に基づいて本発明の空気調和ユニットのロック解除装置の第４実施例を提示する。図８に示すように、本実施例において、検証モジュール１０は、以下の取得ユニット１１と確定ユニット１２とを含む。
【００７０】
取得ユニット１１は、所定のデータベースから前記ユニット情報に対応する所定のアイデンティティ情報を取得する。
【００７１】
ここで、該所定のアイデンティティ情報とは、該ユニット情報に対応する空気調和ユニットに対応する許可された操作者の情報であり、該所定のアイデンティティ情報と該ユニット情報とが関連付けられて所定のデータベースに記憶されている。
【００７２】
確定ユニット１２は、前記所定のアイデンティティ情報の中に前記第１アイデンティティ情報が存在するか否かを確定し、ここで、前記所定のアイデンティティ情報の中に前記第１アイデンティティ情報が存在すると確定された場合に、前記第１アイデンティティ情報の検証が成功する。
【００７３】
本実施例が提示する空気調和ユニットのロック解除装置は、所定のデータベースから前記ユニット情報に対応する所定のアイデンティティ情報を取得し、前記所定のアイデンティティ情報の中に前記第１アイデンティティ情報が存在するか否かを確定し、ここで、前記所定のアイデンティティ情報の中に前記第１アイデンティティ情報が存在すると確定された場合に、前記第１アイデンティティ情報の検証が成功する。これにより、第１アイデンティティ情報の正確な検証を実現し、ひいては空気調和ユニットのロック解除の正確性を確保する。
【００７４】
本発明は、さらに、サーバを提供する。該サーバは、上記いずれかの実施例における空気調和ユニットのロック解除装置を含む。
【００７５】
以上は、本発明の好ましい実施例に過ぎず、本発明の特許範囲を限定するものではない。本発明の明細書及び図面の内容を利用した効果同等な構造又は効果同等なプロセスの変換、或は他の関連技術分野に直接又は間接に適用することは、いずれも同様に本発明の特許保護範囲内に含まれる。
【図１】
2019501544.tif 000003
【図２】
2019501544.tif 000004
【図３】
2019501544.tif 000005
【図４】
2019501544.tif 000006
【図５】
2019501544.tif 000007
【図６】
2019501544.tif 000008
【図７】
2019501544.tif 000009
【図８】
2019501544.tif 000010
【国際調査報告】
2019501544.tif 000011
2019501544.tif 000012
2019501544.tif 000013
2019501544.tif 000014